(57)【要約】【課題】  薬剤等の収容部に気密性を確保し得る繰り出し容器を提供する。【解決手段】  円筒状の本体２と、本体２の先端側に着脱自在に取り付けられるキャップ３と、該本体２の基端側に相対回転可能かつ軸方向移動不能に取付けられる円筒状の回転操作部４と、本体２内に相対回転不能かつ軸方向移動可能に設けられる受け皿５と、本体２に対して回転操作部４を回転操作することにより受け皿５を本体２に対して軸方向に移動させる駆動機構とを備える。そして、本体２の内周面は円筒面とし、受け皿５の外周に本体２の内周面に気密状に接触するシール部１７を形成し、受け皿５に、シール部１７よりも径方向内方で基端側に延びる足部１４を設け、該足部１４を本体２に対して相対回転不能かつ軸方向移動可能に係合させる。【選択図】  図１
2005034641.tif 000002
【特許請求の範囲】
【請求項１】
円筒状の本体と、本体の先端側に着脱自在に取り付けられるキャップと、該本体の基端側に相対回転可能かつ軸方向移動不能に取付けられる円筒状の回転操作部と、本体内に相対回転不能かつ軸方向移動可能に設けられる収容物保持部材と、本体に対して回転操作部を回転操作することにより収容物保持部材を本体に対して軸方向に移動させる駆動機構とを備え、該駆動機構は収容物保持部材の基端側に配設されている繰り出し容器において、
前記本体の内周面のうち少なくとも前記収容物保持部材が移動する範囲は円筒面とされ、前記収容物保持部材の外周には本体の内周面に気密状に接触するシール部が形成され、収容物保持部材には、シール部よりも径方向内方で基端側に延びる足部が設けられ、該足部が本体に対して相対回転不能かつ軸方向移動可能に係合していることを特徴とする気密性繰り出し容器。
【請求項２】
請求項１に記載の気密性繰り出し容器において、足部は、駆動機構の径方向外方に配設されていることを特徴とする気密性繰り出し容器。
【請求項３】
請求項１又は２に記載の気密性繰り出し容器において、本体並びに回転操作部は、ともに円筒状の外筒部と、該外筒部内に同心状に設けられた嵌合筒部とを備え、本体の嵌合筒部と回転操作部の嵌合筒部とが相対回転可能かつ軸方向移動不能に嵌合されており、足部は、嵌合筒部の径方向外方に配設されており、前記外筒部により足部が外周側から覆い隠されていることを特徴とする気密性繰り出し容器。
【請求項４】
請求項３に記載の気密性繰り出し容器において、回転操作部の嵌合筒部内面には、軸方向に延びる案内リブが設けられており、前記駆動機構は、本体に対して螺合し且つ回転操作部の嵌合筒部の案内リブに対して軸方向移動可能かつ相対回転不能に係合する中継軸を備えていることを特徴とする気密性繰り出し容器。
【請求項５】
請求項１乃至４のいずれか１項に記載の気密性繰り出し容器において、
前記収容物保持部材が前記本体に対して基端側移動限界位置にあるとき、収容物保持部材を基端側に移動させる方向に回転操作部を回転操作することを阻止するように収容物保持部材の足部に周方向に係合する逆回転防止部が回転操作部に設けられていることを特徴とする気密性繰り出し容器。
【請求項６】
請求項５に記載の気密性繰り出し容器において、前記足部には、軸方向に延びるたわみ防止リブが設けられていることを特徴とする気密性繰り出し容器。
【請求項７】
請求項６に記載の気密性繰り出し容器において、前記たわみ防止リブは、前記本体の内周面に設けた軸方向に延びる案内溝内に軸方向移動自在に嵌め込まれていることを特徴とする気密性繰り出し容器。
【発明の詳細な説明】
【技術分野】
【０００１】
本発明は、固形の外用消炎鎮痛剤などの薬用製剤用容器や口紅等の棒状化粧料用容器として好適に使用することができる繰り出し容器に関するものである。
【背景技術】
【０００２】
この種従来の繰り出し容器としては、例えば、特許文献１〜３に記載のものがある。これら従来の繰り出し容器は、本体筒の基端に回転筒を相互回動自在かつ抜け出し不能に組み付け、本体筒と回転筒の相互回動により、螺条を介して受皿体を本体筒内で前進後退動させるものである。そして、受皿体は、外周面に螺条を周設した螺子棒の先端に、本体筒内周面に外周面が密接摺動しかつ相互回動不能に組み付けられる受皿板を連設した構成である。
【特許文献１】実公平２−３８６４７号公報
【特許文献２】実公平４−１８４９７号公報
【特許文献３】実公昭６１−１０８９号公報
【発明の開示】
【発明が解決しようとする課題】
【０００３】
上記特許文献１には、受皿体が本体筒内に密接しながら摺動自在かつ相互回動不能に組み付く（同公報第３頁左欄第４４行目〜同右欄第２行目）と記載されてはいるものの、相互回動不能な構造を達成するために、本体筒の内周面に複数の縦条７を設けて、この縦条を受皿板の周端面に食い込ませているため、その構造上、受皿板と本体筒との間に隙間が生じることを避けられない。特許文献２及び３に記載の容器においても、受皿板の外周面に、本体筒内周面に軸方向移動自在かつ回転不能に係合する係合凸部乃至係合凹部が形成されているため、受皿板外周面と本体筒内周面との間のシール性が完全ではなかった。
【０００４】
しかし、嫌気性固形薬剤および水性固形薬剤ならびに揮発性の高い成分を含有する固形薬剤、さらに口紅などの化粧料などを収容することを目的とする場合、薬剤の維持や乾燥を防止、ひいては品質保持のために、より高い気密性の確保が要求されるため、上記従来の構造は採用できないものである。
【０００５】
そこで、本発明は、薬剤等の収容部に気密性を確保し得る繰り出し容器を提供することを目的とする。
【課題を解決するための手段】
【０００６】
本発明は、上記目的を達成するために、次の技術的手段を講じた。
【０００７】
すなわち、本発明は、円筒状の本体と、本体の先端側に着脱自在に取り付けられるキャップと、該本体の基端側に相対回転可能かつ軸方向移動不能に取付けられる円筒状の回転操作部と、本体内に相対回転不能かつ軸方向移動可能に設けられる収容物保持部材と、本体に対して回転操作部を回転操作することにより収容物保持部材を本体に対して軸方向に移動させる駆動機構とを備え、該駆動機構は収容物保持部材の基端側に配設されている繰り出し容器において、前記本体の内周面のうち少なくとも前記収容物保持部材が移動する範囲は円筒面とされ、前記収容物保持部材の外周には本体の内周面に気密状に接触するシール部が形成され、収容物保持部材には、シール部よりも径方向内方で基端側に延びる足部が設けられ、該足部が本体に対して相対回転不能かつ軸方向移動可能に係合していることを特徴とするものである。
【０００８】
かかる本発明の繰り出し容器では、収容物保持部材の先端側に固形製剤や固形化粧料などが保持され、本体内に収容される。容器の保管時においては、本体の先端側はキャップによって気密性が確保することができる。さらに、足部によって収容物保持部材の本体に対する回転を防止する構成としたことにより、繰り出し容器としての駆動機構を内蔵しつつ、収容物保持部材と本体との接触面を凹凸の無い円筒面とすることができ、収容物保持部材の本体との間に高い気密性を確保することができる。
【０００９】
上記本発明の気密性繰り出し容器において、足部は、駆動機構の径方向外方に配設することができる。このように、足部をできるだけ径方向外方に配置することにより、回転操作部の操作時に足部に作用する剪断応力を可及的に低減することができ、足部の破損防止を図ることができる。
【００１０】
また、本体並びに回転操作部は、ともに円筒状の外筒部と、該外筒部内に同心状に設けられた嵌合筒部とを備え、本体の嵌合筒部と回転操作部の嵌合筒部とが相対回転可能かつ軸方向移動不能に嵌合されており、足部は、嵌合筒部の径方向外方に配設されており、前記外筒部により足部が外周側から覆い隠されているものとすることができる。これによれば、上述したように足部をできるだけ径方向外方に配置できるとともに、外筒部により足部を覆い隠すことにより外観商品性の向上が図られる。
【００１１】
さらに、回転操作部の嵌合筒部内面には、軸方向に延びる案内リブが設けられており、前記駆動機構は、本体に対して螺合し且つ回転操作部の嵌合筒部の案内リブに対して軸方向移動可能かつ相対回転不能に係合する中継軸を備えているものとすることができる。これによれば、嵌合筒部を、中継軸の案内・保持にも併用することで、構造の簡素化を図ることができる。上記中継軸は、回転操作部とともに本体に対して相対回転するとともに、本体に対して軸方向に進退する。この中継軸に収容物保持部材を直接取り付けてもよいが、中継軸を円筒状に構成し、収容物保持部材に基端側に延びるネジ軸をさらに設け、このネジ軸を中継軸の内面に螺合させることで、比較的少ない回転操作量で収容物保持部材を軸方向に大きく移動させるように構成することが好ましい。
【００１２】
また、前記収容物保持部材が前記本体に対して基端側移動限界位置にあるとき、収容物保持部材を基端側に移動させる方向に回転操作部を回転操作することを阻止するように収容物保持部材の足部に周方向に係合する逆回転防止部が回転操作部に設けられているものとするのが好ましい。かかる構成によれば、収容物保持部材が基端側移動限界位置にあるときは足部に逆回転防止部が係合して収容物保持部材が繰り出し方向とは逆方向に回転操作されることを防止できる。一方、回転操作部を収容物繰り出し方向に回転操作すると、収容物保持部材が軸方向先端側に移動することで足部が逆転防止部よりも軸方向先端側に離脱し、これらが係合することなく円滑に回転操作部を回転操作できる。
【００１３】
上記構成において、前記足部には、軸方向に延びるたわみ防止リブを設けると、足部の曲げ強度を大きくして、逆回転防止部により足部基端部が周方向に強く押された場合でも足部が大きく反ることを防止でき、かかる足部の変形によって逆回転防止部が足部を乗り越えて回転操作されることを防止できる。
【００１４】
足部の変形防止をより一層確実ならしめるために、前記たわみ防止リブは、前記本体の内周面に設けた軸方向に延びる案内溝内に軸方向移動自在に嵌め込まれている構成とするのが好ましい。
【発明の効果】
【００１５】
本発明によれば、本体に対する回転操作部材の回転操作により収容物保持部材を本体に対して軸方向に移動させる繰り出し容器としての機能を具備しつつ、収容物保持部材に、シール部よりも径方向内方に位置する足部を設けて、この足部を本体に係合させることで、シール部を完全な円周面により構成することができ、収容物を収容する本体内の空間の気密性を確保することができる。
【発明を実施するための最良の形態】
【００１６】
以下、本発明の実施の形態を図示実施例に基づいて説明する。
【実施例１】
【００１７】
図１〜図３は本発明の第１実施例に係る繰り出し容器１を示しており、該容器１は、本体２と、キャップ３と、回転操作部材４（回転操作部）と、収容物保持部材５と、中継軸６とを備えている。
【００１８】
本体２は、全体としてほぼ円筒状を呈しており、円筒状の外筒部７と、該外筒部の軸方向中途部の内面に設けられた鍔部８と、該鍔部８から基端側に延設され且つ外筒部７内に同心状に設けられた嵌合筒部９（本体の嵌合部）と、鍔部８から基端側に延設され且つ嵌合筒部９内に同心状に設けられた案内筒部１０とが一体に成形されている。鍔部８よりも先端側の外筒部７の内周面は、収容物保持部材５が気密性を維持しつつ摺動し得るように、実質的に凹凸の無い円筒面とされている。
【００１９】
本体２の先端には、着脱自在にキャップ３が螺着され、このキャップ３を取り付けることによって本体２の先端開口部の気密性を確保し得るようになっている。
【００２０】
回転操作部材４は、本体２の基端側に相対回転可能かつ軸方向移動不能に取付けられる有底円筒状の部材であって、円筒状の外筒部１１と、該外筒部１１の基端側開口を閉塞する底部１２と、該底部１２から先端側に延設され且つ外筒部１１内に同心状に設けられた嵌合筒部１３とが一体に成形されている。この外筒部１１は、本体２の外筒部７と外径がほぼ等しく、本体２の外周面と回転操作部材４の外周面とが面一になるようにしてある。これら外筒部７，１１は相対回転自在にインロー嵌合されている。また、回転操作部材４の嵌合筒部１３は、本体２の嵌合筒部９にアンダーカット嵌合され、これにより、回転操作部材４が本体２に対して軸方向移動不能かつ相対回転可能に組み付けられている。外筒部１１と嵌合筒部１３の間には、後述する収容物保持部材５の足部１４が収容される収容空間Ａが形成されている。また、嵌合筒部１３の内周面には、軸方向に沿って延びる案内リブ１５が設けられている。この案内リブ１５は、本体に対する回転操作部４の回転運動を、収容物保持部材５の本体２に対する軸方向運動に変換する駆動機構に用いられる。
【００２１】
収容物保持部材５は、固形製剤などの収容物を受持する円盤状の受け皿１６と、該受け皿１６の外周に設けられたシール部１７と、該シール部１７よりも径方向内方で受け皿１６から基端側に延びる足部１４と、上記嵌合筒部９，１３と同心状に配置され且つ受け皿１６から基端側に延びるネジ軸部２０とを備えている。シール部１７は、医療用シリンジに採用されるピストンと同様の構造を呈し、本体２の外筒部７の内周面に気密状に接触している。足部１４は、図示例では直径方向の２カ所に設けられた細長い長尺棒状に構成され、本体２の鍔部８には、足部１４を軸方向移動自在に挿入案内する案内孔１９が設けられている。この収容物保持部材５は、足部１４が案内孔１９に案内保持されることによって、本体２に対して軸方向移動可能かつ周方向回転不能に内嵌されている。また、足部１４は、本体２及び回転操作部材４のそれぞれの外筒部と嵌合筒部との間の隙間に配設されており、嵌合筒部９，１３と足部１４とは、外筒部７，１１によって外周側から覆い隠されるようになっている。ネジ軸部２０は、外周面にネジ溝が形成された円筒状に構成されている。図示例では、ネジ軸部２０は別途成形された部材を受け皿１６の下面に相対回転不能に嵌合することで構成している。
【００２２】
前記中継軸６は、外周面に上記ネジ軸部２０とは逆方向のネジ溝が形成された円筒状部材からなり、基端部にはフランジ２１が設けられ、このフランジ２１が回転操作部材４の嵌合筒部１３に軸方向移動自在に嵌合するとともに、嵌合筒部１３内面に形成された案内リブ１５に係合することによって回転操作部材４に対する相対回転が阻止されている。また、中継軸６は、本体２の案内筒部１０内に螺合されており、本体２に対して回転操作部材４を回転操作すると、中継軸６も本体２に対して回転し、これにより中継軸６が本体２に対して軸方向に螺進するようになっている。
【００２３】
上記収容物保持部材５のネジ軸部２０は、中継軸６内に案内保持されるとともに螺合されており、該ネジ軸部２０を有する収容物保持部材５は上述したように本体２に対する相対回転が阻止されているから、回転操作部材４の回転操作に伴って中継軸６に対してネジ軸部２０が軸方向に螺進する。すなわち、回転操作部材４を回転操作すると、該回転操作部材４に対して所定量中継軸６が螺進するとともに、該中継軸６に対して所定量ネジ軸部２０が螺進し、これらを併せた分だけ収容物保持部材５が本体２に対して軸方向に移動する。しかして、これらネジ軸部２０及び中継軸６によって、本体２に対して回転操作部４を回転操作することにより収容物保持部材５を本体２に対して軸方向に移動させる駆動機構が構成されている。かかる駆動機構の構成要素は収容物保持部材５の基端側に配設されているとともに、嵌合筒部９，１３の内部に収容されている。
【００２４】
上記実施例に係る繰り出し容器１によれば、駆動機構を構成する中継軸６を本体２の案内筒部１０内に案内保持させ、該中継軸６内にネジ軸部２０を案内保持させているとともに、本体２と回転操作部材４とを外筒部７，１１と嵌合筒部９，１３の内外の２カ所で嵌合させることで、がたつきを可及的に低減して安定感のある操作性を実現できる。また、足部１４によって収容物保持部材５の本体２に対する相対回転を阻止することで、本体２内周面にリブなどの凹凸を設ける必要がなく、本体２の内周面を実質的に凹凸のない円筒面に形成することができるので、収容物保持部材５外周のシール部１７により確実な気密性を確保することができる。
【００２５】
本発明は上記実施例に限定されるものではなく、適宜設計変更することができる。例えば、足部は、周方向１カ所にのみ設けてもよく、３カ所以上に設けることも可能である。また、足部は、細長い長尺状のものに限らず、円筒状や円弧状に構成してもよい。また、シール部には、Ｏリングなどの部材を別途配設してもよい。
【実施例２】
【００２６】
図４〜図７は本発明の第２実施例に係る繰り出し容器１’を示しており、上記第１実施例と同様の構成については同符号を付して詳細説明を省略し、異なる構成、作用効果について説明する。
【００２７】
本実施例においては、図４に示すように収容物保持部材５が本体２に対して基端側移動限界位置にあるとき、収容物保持部材５を基端側に移動させる方向に回転操作部材４を回転操作することを阻止するように収容物保持部材５の足部１４の端部に周方向に係合する逆回転防止リブ２２（逆転防止部）が回転操作部材４の底部内面に設けられている。該リブ２２は、図５に示すように、各足部１４に対応する位置にそれぞれ設けられており、本実施例では周方向２箇所にリブ２２が設けられている。
【００２８】
一方、基端側移動限界位置の収容物保持部材５よりも基端側で本体２の内周面には、図４及び図６に示すように、軸方向に延びる案内溝２３が各足部１４に対応する位置に設けられており、各足部１４は案内溝２３内に軸方向移動自在にそれぞれ嵌め込まれている。この嵌め込み態様は適宜のものであってよく、足部１４全体を嵌め込むことも可能であるが、本実施例では各足部１４の外側面に軸方向に延びるたわみ防止リブ２４を設け、このリブ２４を周方向両側から挟み込むように溝２３内に嵌合している。
【００２９】
たわみ防止リブ２４は、各足部１４に２本設けられているとともに、足部１４の軸方向全長にわたって連続して形成されている。このリブ２４を設けることによって足部１４の曲げ強度が大きく向上し、足部１４がたわんで逆回転防止リブ２２を乗り越えてしまうことを阻止できる。
【００３０】
また、本実施例では、収容物保持部材５の先端側移動限界位置（繰り出し終端位置）での回転操作部材４の回転操作を規制するために、中継軸６のフランジ２１上面にフック状のストッパー２５を設け、収容物保持部材５が先端側移動限界位置まで繰り出されたときに、それ以上の繰り出しを防止する方向に回転操作部材４を回転操作することを阻止するように本体２に周方向に係合するように構成されている。より具体的に構造を説明すると、本体２の案内筒部１０の端部に、図７に示すように上記ストッパー２５が係合する段部２６が周方向２箇所に形成されており、一方の段部２６と他方の段部２６とは螺旋面によって接続されている。したがって、収容物保持部材５が先端側移動限界位置にあるとき、中継軸６も上限位置にあってそのフランジ２１が案内筒部１０に近接し、上記ストッパー２５が段部２６に係合することで、その位置を越えて回転操作部材５を繰り出し方向に回転操作することが阻止される。
【図面の簡単な説明】
【００３１】
【図１】本発明の第１実施例に係る繰り出し容器の全体縦断面図である。
【図２】図１のＡ−Ａ線断面図である。
【図３】同繰り出し容器の動作状態を示す縦断面図である。
【図４】本発明の第２実施例に係る繰り出し容器の全体縦断面図である。
【図５】図４のＢ−Ｂ線矢視断面図である。
【図６】図４のＣ−Ｃ線矢視断面相当の足部と本体との嵌合状態説明図である。
【図７】（ａ）は第２実施例にかかる繰り出し容器の案内筒部の端部側面図であり、（ｂ）は底面側から見た中継軸と本体との係合状態説明図である。
【符号の説明】
【００３２】
１  繰り出し容器
２  本体
３  キャップ
４  回転操作部材（回転操作部）
５  収容物保持部材
６  中継軸（駆動機構）
７  本体の外筒部
８  鍔部
９  本体の嵌合部
１０  案内筒部
１１  回転操作部の外筒部
１２  底部
１３  回転操作部の嵌合部
１４  足部
１５  案内リブ
１６  受け皿
１７  シール部
２２  逆回転防止リブ
２３  案内溝
【図１】
2005034641.tif 000003
【図２】
2005034641.tif 000004
【図３】
2005034641.tif 000005
【図４】
2005034641.tif 000006
【図５】
2005034641.tif 000007
【図６】
2005034641.tif 000008
【図７】
2005034641.tif 000009